(57)【要約】【課題】  一つの電極を有する小型のブレーカを用いながら、異常時には二本の電線を確実に遮断できる安全な看板を提供する。【解決手段】  箱形のケース体１と、該ケース体１の正面側に設けられた開閉自在な扉体２とを備え、該扉体２が、表示物を掲示可能な窓部３を有し、前記ケース体１内には、前記窓部３を背面側から照射する光源４が設けられており、該光源４は、二本の電線Ｌ１，Ｌ２により一次電源５に接続されるものであって、一方の電線Ｌ１にはブレーカ６が設けられており、他方の電線Ｌ２にはスイッチ７が設けられており、該スイッチ７は前記扉体２の閉鎖とともに導通状態となり、前記扉体２の開放とともに非導通状態となる。【選択図】      図１
2011039291.tif 000002
【特許請求の範囲】
【請求項１】
箱形のケース体（１）と、該ケース体（１）の正面側に設けられた開閉自在な扉体（２）とを備え、該扉体（２）が、表示物を掲示可能な窓部（３）を有し、前記ケース体（１）内には、前記窓部（３）を背面側から照射する光源（４）が設けられており、
該光源（４）は、二本の電線（Ｌ１，Ｌ２）により一次電源（５）に接続されるものであって、一方の電線（Ｌ１）にはブレーカ（６）が設けられており、他方の電線（Ｌ２）にはスイッチ（７）が設けられており、該スイッチ（７）は前記扉体（２）の閉鎖とともに導通状態となり、前記扉体（２）の開放とともに非導通状態となることを特徴とする看板。
【発明の詳細な説明】
【技術分野】
【０００１】
本発明は、光源の発光により文字、絵や写真などを表示する看板に関する。
【背景技術】
【０００２】
従来、箱形のケース体と、ケース体の正面側に設けられた開閉自在な扉体とを備え、扉体が表示物を掲示可能な窓部を有し、ケース体内には窓部を背面側から照射する光源が設けられた看板がある（たとえば、文献１）。こうした看板において、一般に光源は外部の一次電源と接続されて電力が供給されているが、この際、ケース体１０１内の光源１０４と外部の一次電源１０５とを接続する二本の電線Ｌ１０１，Ｌ１０２には、過負荷や短絡による異常電流から光源１０４を保護するためのブレーカ１０６が設置される（図７、ただし、他の要素は省略）。このブレーカ１０６は、二つの電極を有し（極数２）、異常時には二本の電線Ｌ１０１，Ｌ１０２を同時に遮断する。
【先行技術文献】
【特許文献】
【０００３】
【特許文献１】特開２００６−３３７５２５号公報
【発明の概要】
【発明が解決しようとする課題】
【０００４】
ところで、このような看板を薄型化するには、ブレーカも小型のものを用いなければならないが、上記のような二つの電極を有するブレーカは、一般にある程度以上の大きさのものとなってしまう。よって、上記と同様の構成にすると、ブレーカの大きさが制約となって薄型化に限界があった。そして、一つの電極のみを有する（極数１）ブレーカであれば小型のものもあるが、これを一方の電線に設置するだけでは、異常時に他方の電線は導通状態のままとなり、復旧作業の際に危険である。また、二本の電線のそれぞれにブレーカを取り付けることも考えられるが、たとえ同じ定格電流のブレーカを取り付けたとしても、両ブレーカの定格電流には必ず誤差が存在し、異常時にはいずれか一方のブレーカが先に動作して電線を遮断し、他方のブレーカは動作せず導通状態のままとなってしまう。
【０００５】
本発明は、上記事情を鑑みたものであり、一つの電極を有する小型のブレーカを用いながら、異常時には二本の電線を確実に遮断できる安全な看板を提供することを目的とする。
【課題を解決するための手段】
【０００６】
本発明は、箱形のケース体と、該ケース体の正面側に設けられた開閉自在な扉体とを備え、該扉体が、表示物を掲示可能な窓部を有し、前記ケース体内には、前記窓部を背面側から照射する光源が設けられており、該光源は、二本の電線により一次電源に接続されるものであって、一方の電線にはブレーカが設けられており、他方の電線にはスイッチが設けられており、該スイッチは前記扉体の閉鎖とともに導通状態となり、前記扉体の開放とともに非導通状態となることを特徴とする。
【発明の効果】
【０００７】
本発明によれば、一次電源と光源とを接続する二本の電線について、異常電流が流れた際、一方の電線はブレーカの動作により遮断され、非導通状態となる。この状態ではいまだ他方の電線は導通状態であるが、扉体が閉鎖されていれば、人が内部に接触することはないから安全である。そして、復旧作業のために扉体を開放すると、扉体に連動してスイッチが切れ、他方の電線も非導通状態となるので、安全に作業を行うことができる。ブレーカは一方の電線のみに設けられるものであるから、一つの電極のみを有する小型のものを用いることができ、ブレーカの大きさに制約されることなく看板を薄型化できる。
【図面の簡単な説明】
【０００８】
【図１】本発明の看板の配線図。
【図２】看板の正面図。
【図３】図２のＡ−Ａ線断面図。
【図４】図２のＢ−Ｂ線断面図。
【図５】図２のＣ−Ｃ線断面図。
【図６】扉体を取り外した状態の看板の正面図。
【図７】従来の看板の配線図。
【発明を実施するための形態】
【０００９】
本発明の看板の具体的な構成について、各図面に基づいて説明する。この看板は、図２〜図４に示すように、ケース体１と、扉体２とを備える。ケース体１は、箱形で正面側が開口している。扉体２は、四周枠組みした枠体２１に透明なアクリル板からなる表面板３１を嵌め込んで窓部３を形成しており、ケース体１の正面側の開口部に開閉自在に設けられている。より詳しくは、ケース体１の正面側上部に上向きの凸部１１が設けられ、扉体２の上縁部に凸部１１と係合する凹部２２が設けられており、凸部１１に凹部２２を係合させ、さらにケース体１にネジ止めする扉体押さえ材１２により係合部を押さえ付けて、扉体２がケース体１からはずれないように取り付けられている。扉体２を開放する際には、扉体押さえ材１２のネジを緩めれば、扉体２は係合部を中心に回転して開き、またケース体１から取り外すことができる。そして、樹脂板など光を透過する素材に文字、絵や写真などを表した表示物（図示省略）が、表面板３１の背面側に設けられる。
【００１０】
ケース体１の底面には、白色の反射板１３が設けられており、その正面側には矩形平板状の導光板１４が設けられている。この導光板１４は、端面から進入した光を拡散させて一様に面発光させるもので、その上下辺には、光源４としてＬＥＤライト４ａ，４ｂが取り付けられている。ＬＥＤライト４ａ，４ｂから発せられる光は、導光板１４の端面から進入して、正面および背面から発光する。その際、導光板１４の背面側には反射板１３が設けられているので、背面から発せられた光は反射して正面方向に向かう。なお、導光板１４は、ケース体１にネジ止めする導光板押さえ材１５によって、上下縁部を押さえ付けて固定されている。そして、導光板１４の正面側には、乳白色のアクリル板からなる透過板１６が設けられている。これは、導光板１４から発せられる光を直視するとまぶしいので、それをやわらげるためのものである。透過板１６は、上部に鉤形の取付金具１７を有し、ケース体１に形成された逆鉤形の吊下部１８に吊り下げて取り付けられている。
【００１１】
そして、図５および図６に示すように、ケース体１内の導光板１４の周囲には、ブレーカ６、スイッチ７、端子台８および内部電源９ａ，９ｂが設けられており（内部電源９ｂは、ケース体１の内部電源９ａが取り付けられた面と対向する面に取り付けられているが、図示省略し、また電線についても図示省略した）、図１に示す配線図と併せて以下に詳述する。本発明の看板は一次電源５から電力を供給されるものであり、一次電源５に接続された二本の電線Ｌ１，Ｌ２は、端子台８と接続され、さらに一方の電線Ｌ１にはブレーカ６が設けられ、他方の電線Ｌ２にはスイッチ７が設けられている。ブレーカ６は、初期状態は導通状態であり、定格電流を超える電流が流れたときに動作して非導通状態となる。一方、スイッチ７は、いわゆるドアスイッチで、検知端７１を有しており、初期状態は非導通状態であり、検知端７１を押し込むことで導通状態となる。端子台８とブレーカ６またはスイッチ７を経た電線Ｌ１，Ｌ２は、それぞれ分岐して、整流を行う内部電源９ａ，９ｂに接続され、さらにＬＥＤライト４ａ，４ｂに接続される。なお、一次電源５としては、一般の家庭用電源が用いられる。
【００１２】
さらに、扉体２の枠体２１のスイッチ７と対向する位置には、背面側に突出する起動金具２３が設けられている。起動金具２３は、金属板を折り曲げて形成したもので、扉体２を閉鎖した際に、スイッチ７の検知端７１に当接して検知端７１を押し込み、スイッチ７を導通状態とする。扉体２を開放すると、起動金具２３が検知端７１から離隔して、スイッチ７は非導通状態となる。
【００１３】
このように構成した看板は、壁面などに設置される。使用時には当然扉体は閉鎖されているから、スイッチは導通状態となり、ＬＥＤライトの発光により表示物を表示する。そして、一次電源とＬＥＤライトとを接続する二本の電線について、過負荷や短絡により異常電流が流れた際、一方の電線はブレーカの動作により遮断され、非導通状態となる。この状態ではいまだ他方の電線は導通状態であるが、扉体は閉鎖されており、人が内部に接触することはないから安全である。そして復旧作業のために扉体を開放すると、扉体に連動してスイッチが切れ、他方の電線も非導通状態となるので、安全に作業を行うことができる。この看板に用いるブレーカは、一方の電線のみに設けられるものであるから、一つの電極のみを有する小型のものを用いることができ、ブレーカの大きさに制約されることなく看板を薄型化できる。
【００１４】
本発明は上記の実施形態に限定されない。たとえば、扉体はケース体に開閉自在に取り付けられていればよく、丁番などで固定してもよい。また、スイッチは、扉体の開閉を検知して導通・非導通状態を切り替えられるものであれば、どのようなものであってもよい。
【符号の説明】
【００１５】
１  ケース体
２  扉体
３  窓部
４  光源
５  一次電源
６  ブレーカ
７  スイッチ
Ｌ１，Ｌ２  電線
【図１】
2011039291.tif 000003
【図２】
2011039291.tif 000004
【図３】
2011039291.tif 000005
【図４】
2011039291.tif 000006
【図５】
2011039291.tif 000007
【図６】
2011039291.tif 000008
【図７】
2011039291.tif 000009